(57)【要約】【課題】  ノイズが低減される調光装置及び照明装置を提供する。【解決手段】  オン位相制御における制御遅れ角を、スイッチ部がオンされた直後にはＬＥＤ点灯装置の平滑キャパシタの充電が開始されない期間Ｔ０に含まれる所定の範囲内から、調光比設定部に設定された調光比に応じて選択する。スイッチ部がオンされた直後には平滑キャパシタの充電電流は流れないから、ノイズが低減される。【選択図】図１
2006236709.tif 000002
【特許請求の範囲】
【請求項１】
発光ダイオードを点灯させるＬＥＤ点灯装置と白熱灯とを択一的に接続可能な接続部と、調光比を設定するための調光比設定部と、交流電源と接続部との間に接続され接続部への電力の供給を入切するスイッチ部と、交流電源の出力のゼロクロスを検出するゼロクロス検出部と、ゼロクロス検出部でゼロクロスが検出されたときにスイッチ部をオフするとともに調光比設定部に設定された調光比に応じた制御遅れ角でスイッチ部をオンするオン位相制御を行う制御部とを備え、
ＬＥＤ点灯装置は、接続部に接続される被接続部と、被接続部から入力された交流電力を整流する整流部と、整流部の出力端間に接続された平滑キャパシタを有し整流部の出力を平滑する平滑部と、オン位相制御の制御遅れ角を検出する遅れ角検出部と、平滑部の出力を遅れ角検出部で検出された制御遅れ角に応じた電力に変換し発光ダイオードに供給して点灯させる点灯部とを備え、
制御部は、少なくとも発光ダイオードの定常点灯時には、制御遅れ角を、スイッチ部がオンされた直後にはＬＥＤ点灯装置の平滑キャパシタの充電が開始されないような所定の範囲内から、調光比設定部に設定された調光比に応じて選択することを特徴とする調光装置。
【請求項２】
ＬＥＤ点灯装置において、平滑部及び点灯部は、発光ダイオードの定常点灯時には少なくとも０度〜４５度の位相では平滑キャパシタが充電されない特性を有し、制御部は、制御遅れ角を０度〜４５度の範囲内から選択することを特徴とする請求項１記載の調光装置。
【請求項３】
発光ダイオードと白熱灯とが択一的に選択される負荷選択部を備え、制御部は、負荷選択部で白熱灯が選択されているときには、制御遅れ角を所定の範囲内とする制限を解除し、負荷選択部で発光ダイオードが選択されているときに比べ、調光比設定部に設定される調光比の範囲に対して対応付けられる制御遅れ角の範囲をより広くすることを特徴とする請求項１記載の調光装置。
【請求項４】
制御部は、電源が投入された直後は制御遅れ角を１８０度から徐々に小さくし、制御遅れ角が調光比設定部に設定された調光比に対応した値となるまでは、制御遅れ角を所定の範囲内とする制限を解除することを特徴とする請求項１記載の調光装置。
【請求項５】
接続部に接続される被接続部と、被接続部から入力された交流電力を整流する整流部と、整流部の出力端間に接続された平滑キャパシタを有し整流部の出力を平滑する平滑部と、オン位相制御の制御遅れ角を検出する遅れ角検出部と、平滑部の出力を遅れ角検出部で検出された制御遅れ角に応じた電力に変換し発光ダイオードに供給して点灯させる点灯部とを有するＬＥＤ点灯装置と、
請求項１〜４のいずれか記載の調光装置とを備えることを特徴とする照明装置。
【請求項６】
白熱灯と、請求項１〜４のいずれか記載の調光装置とを備えることを特徴とする照明装置。
【発明の詳細な説明】
【技術分野】
【０００１】
本発明は、オン位相制御によって光源を調光する調光装置及び該調光装置を用いた照明装置に関するものである。
【背景技術】
【０００２】
従来から、交流電源に直列に接続された例えばトライアックからなるスイッチ部を有し、このスイッチ部を用いたオン位相制御で、白熱灯に供給される電力を変化させることにより、白熱灯の光出力を変化させるいわゆる白熱ライコンと呼ばれる調光装置が提供されている。
【０００３】
また、以前は発光ダイオードは電光掲示板やパイロットランプなど表示用の用途が主であったが、近年は発光ダイオードであっても、例えば青色の光を放つ発光ダイオードと青色の光を吸収して黄色の蛍光を放つ蛍光体との組み合わせで、高輝度の白色光が得られるので、発光ダイオードがスポットライトなどの照明の用途にも用いられ始めている。発光ダイオードは同じ輝度の白熱灯に比して小型で長寿命であるという利点がある。そして、白熱灯との交換が容易なように例えば白熱電球の口金と同形状に形成され白熱電球が接続されるソケットのような接続部に接続可能な被接続部を有するＬＥＤ点灯装置が提供されている。この種のＬＥＤ点灯装置は、直線形状や円形状に配列された複数の発光ダイオードと、例えばダイオードブリッジからなり被接続部から入力された交流電力を整流する整流部とを備える（例えば、特許文献１参照）。しかし、整流部の出力は脈流電圧であり、最大電圧を発光ダイオードの定格電圧まで下げる必要があり、かつ発光ダイオードは所定の最低電圧以下では点灯できないため、上記のＬＥＤ点灯装置では、調光の範囲が狭くなっていた。
【０００４】
そこで、整流部の出力端間に接続された例えば電解コンデンサからなる平滑キャパシタを有し整流部の出力を平滑して発光ダイオードへ出力する平滑部を有するＬＥＤ点灯装置が提供されている（例えば、特許文献２参照）。このＬＥＤ点灯装置であれば、発光ダイオードの定格電圧に近い電圧を発光ダイオードに定常的に加え続けることができるため、前者の従来例に比べて発光ダイオードの明るさの上限が上昇するから、調光の範囲を広くすることができる。
【特許文献１】特開平５−６６７１８号公報
【特許文献２】特開２００４−２７３２６７号公報
【発明の開示】
【発明が解決しようとする課題】
【０００５】
しかし、後者の従来例のＬＥＤ点灯装置を上記従来の調光装置に接続した照明装置では、調光装置のオン位相制御でスイッチ部をオンした瞬間にＬＥＤ点灯装置の平滑キャパシタの充電が開始されると、平滑キャパシタへの充電電流が急激に流れ始めることにより、電源重畳ノイズや不要輻射ノイズなどのノイズが発生していた。
【０００６】
本発明は上記事由に鑑みて為されたものであり、その目的は、ノイズが低減される調光装置及び照明装置を提供することにある。
【課題を解決するための手段】
【０００７】
請求項１の発明は、発光ダイオードを点灯させるＬＥＤ点灯装置と白熱灯とを択一的に接続可能な接続部と、調光比を設定するための調光比設定部と、交流電源と接続部との間に接続され接続部への電力の供給を入切するスイッチ部と、交流電源の出力のゼロクロスを検出するゼロクロス検出部と、ゼロクロス検出部でゼロクロスが検出されたときにスイッチ部をオフするとともに調光比設定部に設定された調光比に応じた制御遅れ角でスイッチ部をオンするオン位相制御を行う制御部とを備え、ＬＥＤ点灯装置は、接続部に接続される被接続部と、被接続部から入力された交流電力を整流する整流部と、整流部の出力端間に接続された平滑キャパシタを有し整流部の出力を平滑する平滑部と、オン位相制御の制御遅れ角を検出する遅れ角検出部と、平滑部の出力を遅れ角検出部で検出された制御遅れ角に応じた電力に変換し発光ダイオードに供給して点灯させる点灯部とを備え、制御部は、少なくとも発光ダイオードの定常点灯時には、制御遅れ角を、スイッチ部がオンされた直後にはＬＥＤ点灯装置の平滑キャパシタの充電が開始されないような所定の範囲内から、調光比設定部に設定された調光比に応じて選択することを特徴とする。
【０００８】
この発明によれば、ＬＥＤ点灯装置を接続したとき、スイッチ部をオンした瞬間にスイッチ部に急激に電流が流れることがないから、ノイズが低減される。また、比較的に定格電流が低い小型で安価な部品を用いることができるから、小型化と低コスト化とが可能となる。
【０００９】
請求項２の発明は、請求項１の発明において、ＬＥＤ点灯装置の平滑部及び点灯部は、発光ダイオードの定常点灯時には少なくとも０度〜４５度の位相では平滑キャパシタが充電されない特性を有し、制御部は、制御遅れ角を０度〜４５度の範囲内から選択することを特徴とする。
【００１０】
この発明によれば、制御遅れ角の４倍が１８０度に対して占める比が０〜１となるから、ＬＥＤ点灯装置の点灯部で発光ダイオードへ供給する電力と制御遅れ角との対応付けが簡単になる。
【００１１】
請求項３の発明は、請求項１の発明において、発光ダイオードと白熱灯とが択一的に選択される負荷選択部を備え、制御部は、負荷選択部で白熱灯が選択されているときには、制御遅れ角を所定の範囲内とする制限を解除し、負荷選択部で発光ダイオードが選択されているときに比べ、調光比設定部に設定される調光比の範囲に対して対応付けられる制御遅れ角の範囲をより広くすることを特徴とする。
【００１２】
この発明によれば、負荷選択部を設けない場合に比べ、接続部に白熱灯を接続したときの調光範囲がより広くなる。
【００１３】
請求項４の発明は、請求項１の発明において、制御部は、電源が投入された直後は制御遅れ角を１８０度から徐々に小さくし、制御遅れ角が調光比設定部に設定された調光比に対応した値となるまでは、制御遅れ角を所定の範囲内とする制限を解除することを特徴とする。
【００１４】
この発明によれば、電源投入直後のインラッシュ電流を低減することができる。従って、比較的に定格電流が低い小型で安価な部品を用いることができるから、さらなる小型化と低コスト化とが可能となる。
【００１５】
請求項５の発明は、接続部に接続される被接続部と、被接続部から入力された交流電力を整流する整流部と、整流部の出力端間に接続された平滑キャパシタを有し整流部の出力を平滑する平滑部と、オン位相制御の制御遅れ角を検出する遅れ角検出部と、平滑部の出力を遅れ角検出部で検出された制御遅れ角に応じた電力に変換し発光ダイオードに供給して点灯させる点灯部とを有するＬＥＤ点灯装置と、請求項１〜４のいずれか記載の調光装置とを備えることを特徴とする。
【００１６】
請求項６の発明は、白熱灯と、請求項１〜４のいずれか記載の調光装置とを備えることを特徴とする。
【発明の効果】
【００１７】
本発明は、制御部が、少なくとも発光ダイオードの定常点灯時には、制御遅れ角を、スイッチ部がオンされた直後にはＬＥＤ点灯装置の平滑キャパシタの充電が開始されないような所定の範囲内から選択するので、スイッチ部をオンした瞬間にスイッチ部に急激に電流が流れることがないから、ノイズが低減される。
【発明を実施するための最良の形態】
【００１８】
以下、本発明を実施するための最良の形態について、図面を参照しながら説明する。
【００１９】
本実施形態は、図２に示すように、交流電源ＡＣから入力された電力をオン位相制御で調整して出力する調光装置１と、調光装置１の出力を電源として複数の発光ダイオードＬＥＤを点灯させるＬＥＤ点灯装置２とを備える。
【００２０】
調光装置１は、交流電源ＡＣから交流電力が入力される例えば電源プラグからなる入力部１１と、例えば白熱電球の口金を取り付けることができるソケットのような接続部１２と、入力部１１から接続部１２への給電をオンオフするスイッチ部１３と、入力部１１を介して入力された交流電力のゼロクロスを検出するゼロクロス検出部１４と、手操作される例えば回転ツマミやスライドツマミや押釦のようなハンドル（図示せず）を有し調光比が設定される調光比設定部１５と、オン位相制御における制御遅れ角と調光比との対応関係を示す例えばデータテーブルが格納された記憶部１６と、ゼロクロス検出部１４でゼロクロスが検出されたときにスイッチ部１３をオフするとともに調光比設定部１５に設定された調光比に対応する制御遅れ角を記憶部１６から得て該制御遅れ角でスイッチ部１３をオンするオン位相制御を行う制御部１７とを備える。さらに、接続部１２に接続される負荷をＬＥＤ点灯装置２と白熱灯とのうちから選ぶ例えばディップスイッチからなる負荷選択部１８を備える。また、制御部１７は、駆動部１９を介してスイッチ部１３をオンオフする。
【００２１】
ＬＥＤ点灯装置２は、例えば白熱電球の口金と同形状に形成され調光装置１の接続部１１が接続される被接続部２１と、被接続部２１から入力された交流電力を整流する整流部２２と、整流部２２の出力を平滑する平滑部２３と、調光装置１のオン位相制御における制御遅れ角を検出する遅れ角検出部２４と、発光ダイオードＬＥＤに直列に接続され発光ダイオードＬＥＤへの給電をオンオフする調光スイッチ部２５と、遅れ角検出部２４で検出された制御遅れ角に応じたデューティ比で調光スイッチ部２５をオンオフすることにより発光ダイオードＬＥＤを調光する調光制御部２６とを備える。つまり、調光スイッチ部２５と調光制御部２６とが請求項における点灯部を構成する。
【００２２】
図３を用いて、回路の１例を具体的に説明する。まず、調光装置１について説明する。スイッチ部１３は、入力部１１の一方の端子と接続部１２の一方の端子との間に接続されたトライアックＱ１からなる。トライアックＱ１には、フォトトライアックＰＴ１の出力端子と抵抗Ｒ１，Ｒ２との直列回路が直列に接続されている。抵抗Ｒ１，Ｒ２の接続点にはトライアックＱ１のゲートが接続され、トライアックＱ１のゲートと入力部１１の一方の端子との間に接続された抵抗Ｒ２には、セラミックコンデンサＣ１が並列に接続されている。また、調光装置１は、交流電源ＡＣの出力を全波整流するダイオードブリッジＤＢ１と、ダイオードブリッジＤＢ１の出力を平滑する電解コンデンサＣ２と、電解コンデンサＣ２から得られる直流電力を電源としてフォトトライアックＰＴ１内の発光ダイオードの電源電圧Ｖｃｃ（例えば５Ｖ）を生成する例えば周知の降圧型チョッパ回路からなる電源生成部１９ａとを備える。フォトトライアックＰＴ１の一方の入力端子には上記の電源生成部１９ａの出力が入力され、他方の入力端子にはトランジスタＱ２のエミッタが接続されている。このトランジスタＱ２において、エミッタ−ベース間には抵抗Ｒ３が接続され、コレクタは抵抗Ｒ４を介して接地され、ベースは抵抗Ｒ５を介して例えばマイコンからなる制御部１７に接続されている。つまり、フォトトライアックＰＴ１と、抵抗Ｒ１〜Ｒ５と、コンデンサＣ１と、ダイオードブリッジＤＢ１と、電解コンデンサＣ２と、電源生成部１９ａと、トランジスタＱ２とが駆動部１９を構成する。また、ゼロクロス検出部１４は、ダイオードブリッジＤＢ１の出力に基いてゼロクロスを検出する。なお、スイッチ部１３としては、トライアックＱ１に代えて例えば２個のサイリスタ（図示せず）を逆並列接続したものを用いてもよい。
【００２３】
上記回路の動作を説明する。制御部１７が抵抗Ｒ５に接続された端子からＨＩＧＨレベルの信号を出力することによりトランジスタＱ２をオンすると、フォトトライアックＰＴ１の出力端間が導通し、抵抗Ｒ１，Ｒ２に通電されて抵抗Ｒ２の両端間に電位差が生じることによりコンデンサＣ１が充電され、トライアックＱ１がオンされる。すなわち、交流電源ＡＣの出力が接続部１２から出力される。一方、制御部１７が抵抗Ｒ５に接続された端子からＬＯＷレベルの信号を出力することによりトランジスタＱ２をオフすると、フォトトライアックＰＴ１の出力端間の電路が遮断され、抵抗Ｒ１，Ｒ２への通電が停止されるからコンデンサＣ１の電荷が抵抗Ｒ２を介して放電され、トライアックＱ１のゲートの電圧が低下するからトライアックＱ１がオフされる。すなわち、入力部１１と接続部１２との間の電路が遮断される。
【００２４】
次に、ＬＥＤ点灯装置２について説明する。整流部２２は被接続部２１から入力された調光装置１の出力を全波整流するダイオードブリッジＤＢ２からなり、平滑部２３は整流部の出力端間に接続された平滑キャパシタとしての電解コンデンサＣ３からなる。電解コンデンサＣ３の両端間には、複数個の発光ダイオードＬＥＤと、電流制限用の抵抗Ｒ８と、スイッチング素子Ｑ３との直列回路が接続されている。スイッチング素子Ｑ３としては、ＭＯＳＦＥＴや、トランジスタや、ＩＧＢＴなどを用いることができる。また、前記直列回路と電解コンデンサＣ３との並列回路には、ダイオードＤ２が直列に接続されている。また、ダイオードブリッジＤＢ２の出力は抵抗Ｒ６，Ｒ７で分圧されて例えばマイコンからなる調光制御部２６に入力される。調光制御部２６は、抵抗Ｒ６，Ｒ７の接続点の電位に基いて制御遅れ角を検出するとともに検出された制御遅れ角に応じたデューティ比でスイッチング素子Ｑ３をオンオフすることにより発光ダイオードＬＥＤを調光する。つまり、抵抗Ｒ６，Ｒ７と調光制御部２６とが遅れ角検出部２５を構成し、抵抗Ｒ８とスイッチング素子Ｑ３とが調光スイッチ部２４を構成する。また、電解コンデンサＣ３に充電されない期間であっても、トライアックＱ１のオン状態を維持するための保持電流が抵抗Ｒ６，Ｒ７を通じて流れるようになっている。
【００２５】
ところで、交流電源ＡＣの出力がそのままＬＥＤ点灯装置２に入力された場合であっても、定常状態では図１（ｃ）に示すように電解コンデンサＣ３は交流電源ＡＣの出力に対して半分の周期で充放電を繰り返すから、電解コンデンサＣ３の充電電流以外の電流がごく小さいことによりＬＥＤ点灯装置２の入力電流は図１（ａ）のように間欠的になる。つまり、図１（ｂ）のようなオン位相制御において、電解コンデンサＣ３に充電されない期間Ｔ０のうちから、通電を開始する時間をどのように選んでも、通電を開始した瞬間には電流は殆ど流れないことになる。本実施形態のＬＥＤ点灯装置２では、位相が０度〜４５度の期間は上記の期間Ｔ０に含まれている。
【００２６】
そして、制御部１７は、負荷選択部１８において負荷としてＬＥＤ点灯装置２が選択されているときには、オン位相制御において通電を開始する位相すなわち制御遅れ角を０度〜４５度の範囲内で選択する。
【００２７】
具体的に説明すると、制御部１７は、調光比設定部１５の連続的な状態（例えば調光比設定部１５が可変抵抗器からなる場合にはその抵抗値）を２５６段階に分け、８ビットでデジタル表現される調光レベルに変換する。各調光レベルはそれぞれ異なる調光比に対応し、例えば図４に示すように高い調光レベルほど高い調光比に対応する。記憶部１６には、調光レベルと制御遅れ角との対応関係を示すデータテーブルが格納されており、制御部１７は、調光比設定部１５から得られた調光レベルに対応する制御遅れ角でオン位相制御がなされるようにスイッチ部１３をオンオフする。
【００２８】
ＬＥＤ点灯装置２では、調光制御部２６は、交流電源ＡＣの半周期当たりに、スイッチ部１３がオフされる時間の４倍の時間は発光ダイオードＬＥＤへの通電を停止し、残りの時間に発光ダイオードＬＥＤに通電するように調光スイッチ部２４をオンオフすることにより、発光ダイオードＬＥＤを調光する。０度〜４５度という制御遅れ角の範囲は半周期の４分の１に相当するから、上記制御により、発光ダイオードＬＥＤを０％〜１００％の調光比で調光できることになる。交流電源ＡＣを周波数６０Ｈｚ（半周期≒８．３３３ｍｓ）の商用電源とした場合の、調光ステップ、調光比、交流電源ＡＣの出力の半周期当たりにスイッチ部１３がオンされるオン時間、交流電源ＡＣの出力の半周期当たりに発光ダイオードが通電されるＬＥＤ通電時間の関係は、例えば次表のようになる。
【００２９】
【表１】
2006236709.tif 000003
【００３０】
また、制御部１７は、電源が投入された直後には、制御遅れ角の範囲の制限を解除し、制御遅れ角を１８０度から徐々に調光レベルに対応した値に近付ける。つまり、接続部１２から出力する電力を徐々に増大させることになり、電源投入直後のインラッシュ電流が抑制されるので、スイッチ部１３を構成する部品として、定格電流が比較的小さな小型で安価な部品を用いることができるから、小型化と低コスト化とが可能となる。
【００３１】
また、図５に示すように接続部１２に白熱灯Ｌを接続する場合には、負荷選択部１８で白熱灯を選択しておけば、制御遅れ角の範囲の制限は解除され、周知の白熱ライコンと同様に動作する。ここで、負荷選択部１８は設けなくても、制御遅れ角が０度〜４５度の範囲内で白熱灯Ｌの調光は可能であるが、負荷選択部１８を設けたほうが白熱灯Ｌの調光範囲が広くなるから望ましい。また、白熱灯Ｌに代えて、調光スイッチ部２４や調光制御部２６を備えない従来のＬＥＤ点灯装置を接続部１２に接続した場合であっても、負荷選択部１８で白熱灯を選択しておくことにより、ある程度の調光が可能である。
【００３２】
上記構成によれば、制御遅れ角を、スイッチ部１３をオンした瞬間にはスイッチ部１３に電流が流れない範囲内で選択するから、スイッチ部１３がオンされた時にスイッチ部１３に急激に電流が流れることがない。従って、電源重畳ノイズや不要輻射ノイズなどのノイズを低減することができる。また、スイッチ部１３を構成する部品として、定格電流が比較的小さな小型で安価な部品を用いることができるから、小型化と低コスト化とが可能となる。
【００３３】
また、ＬＥＤ点灯装置２において、平滑部２３の出力は略一定（例えば交流電源ＡＣの実効電圧が１００Ｖである場合には約１４１Ｖ）であり、発光ダイオードＬＥＤへの通電時間により調光するので、位相制御によって発光ダイオードＬＥＤを調光する場合に比べ、調光比と動作との対応関係が簡単であり、かつ、より低い調光比までの調光が可能であるから調光の範囲が広くなる。
【００３４】
ここで、制御遅れ角の範囲は、上記のように０度〜４５度としなくても、スイッチ部１３をオンした瞬間にスイッチ部１３に電流が流れない範囲内であれば上記の効果は得られる。しかし、本実施形態では、制御遅れ角の範囲を０度〜４５度すなわち半周期の４分の１としたことにより、発光ダイオードＬＥＤへの通電を停止する期間を調光装置１においてスイッチ部１３がオフされる期間の４倍とするだけの単純な変換で０％〜１００％の調光ができる。従って、調光制御部２６を比較的に単純な回路で構成したり、または調光制御部２６をマイコンで構成する場合には調光制御部２６における処理を例えば２ビットシフト演算というように単純化し比較的に安価なマイコンを用いて、製造コストを低減することができる。
【００３５】
なお、ＬＥＤ点灯装置２において、用いる発光ダイオードＬＥＤの定格電圧や個数に応じて、図６に示すように、例えばＩＰＤ（Intelligent Power Device）を用いた周知のチョッパ回路からなる電力調整部２７を平滑部２３と発光ダイオードＬＥＤとの間に接続してもよい。
【００３６】
また、発光ダイオードＬＥＤは、個数を複数個とする代わりに１個としてもよい。または、それぞれ発光ダイオードＬＥＤを含む回路同士を互いに並列に接続してもよい。
【００３７】
さらに、電源生成部１９ａや電力調整部２７において、チョッパ回路を用いる代わりにトランスや抵抗を用いて所望の電圧を得てもよい。
【００３８】
また、整流部２２としては、調光装置１の出力を全波整流するダイオードブリッジＤＢ２を用いる代わりに、調光装置１の出力を半波整流する１個のダイオードを用いてもよい。
【００３９】
さらに、調光装置１において、記憶部１６と制御部１７とを１チップのマイコンで構成してもよい。
【図面の簡単な説明】
【００４０】
【図１】本発明の実施形態の動作の１例を示す説明図であり、（ａ）はＬＥＤ点灯装置の入力電流を示し、（ｂ）はＬＥＤ点灯装置の入力電圧を示し、（ｃ）はＬＥＤ点灯装置の平滑部の出力を示す。
【図２】同上を示すブロック図である。
【図３】同上の回路の具体例を示す回路図である。
【図４】調光ステップと調光比との関係の１例を示すグラフである。
【図５】同上に白熱灯を接続した状態を示すブロック図である。
【図６】同上の別の形態を示すブロック図である。
【符号の説明】
【００４１】
１  調光装置
２  ＬＥＤ点灯装置
１２  接続部
１３  スイッチ部
１４  ゼロクロス検出部
１７  制御部
１８  負荷選択部
２１  被接続部
２２  整流部
２３  平滑部
２４  調光スイッチ部
２５  遅れ角検出部
２６  調光制御部
Ｃ３  電解コンデンサ
【図１】
2006236709.tif 000004
【図２】
2006236709.tif 000005
【図３】
2006236709.tif 000006
【図４】
2006236709.tif 000007
【図５】
2006236709.tif 000008
【図６】
2006236709.tif 000009